(57)【要約】【課題】ゴルフのスイングを修正するための調整方法を容易に理解できるスイング訓練方法を提供する。【解決手段】ゴルフのスイング訓練方法は、スイング中の足裏にかかる部位毎の圧力を検出して表示する圧力検出手段１０と、クラブのフェース面における打点を検出する打点検出手段２０と、打点検出手段２０により検出された打点に基づいて、スイング中の体重配分の調整方法を設定して訓練対象者に指示する指示手段３０とを用い、指示手段３０により設定された調整方法に従って、スイング中の体重配分を調整する。【選択図】図１
2020130957.tif 000002
【特許請求の範囲】
【請求項１】
ゴルフのスイング訓練方法であって、
スイング中の足裏にかかる部位毎の圧力を検出して表示する圧力検出手段と、
クラブのフェース面における打点を検出する打点検出手段と、
前記打点検出手段により検出された前記打点に基づいて、スイング中の体重配分の調整方法を設定して訓練対象者に指示する指示手段とを用い、
前記指示手段により設定された前記調整方法に従って、スイング中の体重配分を調整することを特徴とするスイング訓練方法。
【請求項２】
前記圧力検出手段は、検出した前記圧力を画像として表示する圧力表示部を備え、
前記指示手段は、前記調整方法に従った体重配分によるスイングを行った場合に足裏にかかる部位毎の圧力を画像として例示する指示表示部を備える請求項１に記載のスイング訓練方法。
【請求項３】
前記打点検出手段は、検出した前記打点を画像として表示する打点表示部を備える請求項１又は請求項２に記載のスイング訓練方法。
【発明の詳細な説明】
【技術分野】
【０００１】
本発明は、ゴルフのスイング訓練方法に関する。
【背景技術】
【０００２】
特許文献１には、靴底に敷いた半導体圧力センサで使用者のスイング時の体重移動の状態を検出し、基本となるスイング時の体重移動の検出結果と比較することでスイングの良否判定を行うとともに、その判定結果を音や振動、画像等で使用者に報知するというゴルフスイング矯正装置が開示されている。
【０００３】
特許文献２には、ゴルフクラブのシャフト部にセンサを配置し、スイング時のシャフト部に発生する角速度の変化及び加速度の変化に基づいて、クラブのフェース面における打点を解析する解析装置が開示されている。
【先行技術文献】
【特許文献】
【０００４】
【特許文献１】特開２００９−１０６３８８号公報
【特許文献２】特開２０１８−１１７６７０号公報
【発明の概要】
【発明が解決しようとする課題】
【０００５】
特許文献１及び特許文献２に開示される従来の構成の場合、使用者は、スイング時の体重移動の良否及び打点の良否を把握できるのみで、どのようにすればスイングを改善できるかという点が具体的に分からず、スイングの修正を適切に支援することができなかった。
【０００６】
この発明は、こうした実情に鑑みてなされたものであり、その目的は、ゴルフのスイングを修正するための調整方法を容易に理解できるスイング訓練方法を提供することにある。
【課題を解決するための手段】
【０００７】
上記課題を解決するスイング訓練方法は、ゴルフのスイング訓練方法であって、スイング中の足裏にかかる部位毎の圧力を検出して表示する圧力検出手段と、クラブのフェース面における打点を検出する打点検出手段と、前記打点検出手段により検出された前記打点に基づいて、スイング中の体重配分の調整方法を設定して訓練対象者に指示する指示手段とを用い、前記指示手段により設定された前記調整方法に従って、スイング中の体重配分を調整する。
【０００８】
上記構成によれば、訓練対象者は、前回のスイングにおいて検出された足裏にかかる部位毎の圧力に基づいて、前回のスイング中の体重配分を把握できる。そして、前回のスイング中の体重配分を把握した訓練対象者に対して、クラブのフェース面における打点に基づく体重配分の調整方法、例えば、インパクト時に左足のつま先側にかける圧力を大きくする等が指示される。したがって、訓練対象者は、スイング中の体重配分をどのように調整すればスイングを修正できるかを容易に理解できる。また、定量的な打点に基づいて、スイング中の体重配分を定量的に調整できるため、訓練対象者は、調整後のスイングを具現化しやすい。
【０００９】
上記スイングの訓練方法において、前記圧力検出手段は、検出した前記圧力を画像として表示する圧力表示部を備え、前記指示手段は、前記調整方法に従った体重配分によるスイングを行った場合に足裏にかかる部位毎の圧力を画像として例示する指示表示部を備えることが好ましい。
【００１０】
上記構成によれば、前回のスイングにおける体重配分と、調整された体重配分との違いを視覚的に確認することができる。そのため、スイング中の体重配分をどのように調整すればスイングを修正できるかを更に容易に理解できる。
【００１１】
上記スイングの訓練方法において、前記打点検出手段は、検出した前記打点を画像として表示する打点表示部を備えることが好ましい。
上記構成によれば、訓練対象者は、前回のスイング時の打点を視覚的に確認することができる。
【発明の効果】
【００１２】
本発明によれば、ゴルフのスイングを修正するための調整方法を容易に理解できる。
【図面の簡単な説明】
【００１３】
【図１】訓練装置のブロック図。
【図２】訓練装置の配置を示す模式図。
【図３】圧力センサ部の配置を示す模式図。
【図４】打点と調整方法の関係情報の説明図。
【図５】クラブのフェース面の説明図。
【図６】調整方法の設定のフローチャート。
【図７】表示部の説明図。
【発明を実施するための形態】
【００１４】
以下、本発明の一実施形態を説明する。
先ず、本実施形態の訓練方法に用いる訓練装置について説明する。なお、以下では、訓練対象者が右打ちである場合について説明する。
【００１５】
図１及び図２に示すように、訓練装置は、スイング中の足裏にかかる部位毎の圧力を検出して表示する圧力検出手段１０と、クラブのフェース面における打点を検出する打点検出手段２０と、スイング中の体重配分の調整方法を設定して訓練対象者Ａに指示する指示手段３０とを備えている。また、訓練装置は、訓練対象者Ａのスイングを撮影して記録する撮影手段４０と、撮影手段４０により撮影された映像を含む各種の表示を行う表示部５０とを備えている。図７に示すように、表示部５０は、撮影手段４０により撮影された映像を表示するスイング表示部５１を備えている。
【００１６】
圧力検出手段１０は、足裏にかかる部位毎の圧力を検出する複数の圧力センサ部１１と、スイング中の足裏にかかる部位毎の圧力を示す画像を作成して記録する画像処理部１２と、画像処理部１２により作成された画像を表示する圧力表示部１３とを備えている。
【００１７】
図２及び図３に示すように、圧力センサ部１１は、ゴルフシューズの中敷き１４に対して複数、取り付けられている。圧力センサ部１１は、縦横に並設された複数の圧力センサ１１ａからなり、中敷き１４における指の付け根部分及び踵部分にそれぞれ配置されている。
【００１８】
圧力センサ部１１としては、圧電素子等を用いた公知の感圧センサを用いることができる。特に、足裏に配置されるという使用状況に鑑みると、伸縮性及び耐久性の観点から、誘電エラストマーを利用したエラストマー製の圧電素子を用いることが好ましい。上記誘電エラストマーとしては、例えば、架橋されたポリロタキサン、シリコーンエラストマー、アクリルエラストマー、ウレタンエラストマーが挙げられる。
【００１９】
画像処理部１２は、検出された足裏にかかる部位毎の圧力の情報を含む画像データを作成し、当該画像データに応じた画像を記録するとともに圧力表示部１３に表示させる。
図７に示すように、圧力表示部１３は、表示部５０の表示面の一範囲として設けられている。圧力表示部１３は、圧力センサ部１１により検出した足裏にかかる部位毎の圧力について、その強弱を色の濃淡により表示するとともに、スイング中の経時的な変化を動画として表示する。
【００２０】
図１及び図２に示すように、打点検出手段２０は、スイング中におけるクラブＢのシャフト部分に発生する角速度及び加速度を検出する慣性センサ２１を備えている。慣性センサ２１は、３軸の各軸方向に生じる加速度と３軸の各軸回りに生じる角速度を計測可能である。慣性センサ２１は、３つの検出軸（例えば、ｘ軸，ｙ軸，ｚ軸）のうちの１軸をシャフト部分の長軸方向に合わせて、グリップ部分を含めたシャフト部分の一部に取り付けられる。
【００２１】
また、打点検出手段２０は、慣性センサ２１からの検出信号に基づいて、クラブＢのフェース面における打点を算出する打点解析部２２と、打点解析部２２により算出された打点を示す画像を作成して記録する画像処理部２３と、画像処理部２３により作成された画像を表示する打点表示部２４とを備えている。
【００２２】
打点解析部２２は、慣性センサ２１により検出された、スイング中におけるクラブＢのシャフト部分に発生する角速度及び加速度の情報に基づいて、クラブＢのフェース面における打点を算出する。打点の算出方法としては、例えば、特許文献２に開示されるような公知の算出方法を適用できる。
【００２３】
画像処理部２３は、算出された打点の情報を含む画像データを作成し、当該画像データに応じた画像を記録するとともに打点表示部２４に表示させる。
図７に示すように、打点表示部２４は、表示部５０の表示面の一範囲として設けられている。打点表示部２４は、クラブＢのフェース面を示す画像２４ａの上に、打点解析部２２により算出された打点を示すマーク２４ｂを重ねて表示する。
【００２４】
図１に示すように、指示手段３０は、圧力センサ部１１からの検出信号及び打点解析部２２により算出された打点に基づいて、スイング中の体重配分の調整方法を設定する調整方法設定部３１を備えている。調整方法設定部３１には、クラブＢのフェース面における打点とスイング中の体重配分の調整方法との関係情報が予め記憶されており、調整方法設定部３１は、上記関係情報に基づいて調整方法を設定する。
【００２５】
上記関係情報の一例を図４に示す。ここでは、クラブＢのフェース面におけるスイートスポット以外の部分を４つの領域Ｒ１〜Ｒ４に区分けし、領域毎にそれぞれ異なる体重配分の具体的な調整方法Ａ１〜Ａ４が対応付けられている。
【００２６】
図５に示すように、領域Ｒ１は、クラブＢのフェース面におけるスイートスポットよりもトゥ側の領域であり領域Ｒ２は、スイートスポットよりもヒール側の領域である。領域Ｒ３は、クラブＢのフェース面におけるスイートスポットよりもソール側の領域であり、打点が領域Ｒ３に位置することはトップの状態に該当する。領域Ｒ４は、クラブＢのフェース面におけるスイートスポットよりもクラウン側の領域であり、打点が領域Ｒ４に位置することはダフリの状態に該当する。上記関係情報に基づいて調整方法を設定するフローの一例を図６に示す。
【００２７】
図６のフローチャートに示すように、調整方法設定部３１は、先ず、打点解析部２２から入力された打点が領域Ｒ１に位置するか否かを判定する（ステップＳ１）。ステップＳ１において、打点が領域Ｒ１に位置している場合（ＹＥＳ）、調整方法として調整方法Ａ１を設定する。
【００２８】
ステップＳ１において、打点が領域Ｒ１に位置していない場合（ＮＯ）、打点解析部２２から入力された打点が領域Ｒ２に位置するか否かを判定する（ステップＳ２）。ステップＳ２において、打点が領域Ｒ２に位置している場合（ＹＥＳ）、調整方法として調整方法Ａ２を設定する。
【００２９】
ステップＳ２において、打点が領域Ｒ２に位置していない場合（ＮＯ）、打点解析部２２から入力された打点が領域Ｒ３に位置するか否かを判定する（ステップＳ３）。ステップＳ３において、打点が領域Ｒ３に位置している場合（ＹＥＳ）、圧力センサ部１１からの検出信号に基づいて右足から左足への体重移動のタイミングＴが、インパクト時を基準とする所定のタイミングＴａよりも早いか否かを判定する（ステップＳ４）。
【００３０】
ステップＳ４において、体重移動のタイミングＴが、タイミングＴａよりも早い場合（ＹＥＳ）、調整方法として調整方法Ａ３ａを設定する。ステップＳ４において、体重移動のタイミングＴが、タイミングＴａよりも早くない場合（ＮＯ）、調整方法として調整方法Ａ３ｂを設定する。
【００３１】
ステップＳ３において、打点が領域Ｒ３に位置していない場合（ＮＯ）、打点解析部２２から入力された打点が領域Ｒ４に位置するか否かを判定する（ステップＳ５）。ステップＳ５において、打点が領域Ｒ４に位置している場合（ＹＥＳ）、圧力センサ部１１からの検出信号に基づいて右足から左足への体重移動のタイミングＴが、インパクト時を基準とする所定のタイミングＴｂよりも遅いか否かを判定する（ステップＳ６）。
【００３２】
ステップＳ６において、体重移動のタイミングＴが、タイミングＴｂよりも遅い場合（ＹＥＳ）、調整方法として調整方法Ａ４ａを設定する。ステップＳ６において、体重移動のタイミングＴが、タイミングＴｂよりも遅くない場合（ＮＯ）、調整方法として調整方法Ａ４ｂを設定する。ステップＳ５において、打点が領域Ｒ４に位置していない場合（ＮＯ）、調整方法として調整不要を設定する。
【００３３】
なお、上記のフローチャートでは、領域Ｒ１又は領域Ｒ２と領域Ｒ３又は領域Ｒ４とが重なる部分に打点が位置する場合、領域Ｒ１又は領域Ｒ２に応じた調整方法が設定されるが、領域Ｒ１又は領域Ｒ２に応じた調整方法と領域Ｒ３又は領域Ｒ４に応じた調整方法の両方が設定されるようにしてもよい。
【００３４】
また、図１に示すように、指示手段３０は、調整方法設定部３１により設定された調整方法を示す画像を作成して記録する画像処理部３２と、画像処理部３２により作成された画像を表示する指示表示部３３とを備えている。
【００３５】
画像処理部３２には、調整方法設定部３１により設定された調整方法、及び圧力検出手段１０の画像処理部１２により作成された画像データが入力される。そして、画像処理部３２は、これらの入力情報に基づいて、設定された調整方法に従った体重配分によるスイングを行った場合に足裏にかかる部位毎の圧力の情報を含む画像データを作成し、当該画像データに応じた画像を記録するとともに指示表示部３３に例示させる。
【００３６】
例えば、調整方法として調整方法Ａ１が設定されている場合、画像処理部３２は、画像処理部１２により作成された画像データを基礎データとして、基礎データに対して、インパクト時における左足のつま先側の圧力を予め設定された所定量、大きくし、踵側の圧力を予め設定された所定量、小さくした画像データを作成する。
【００３７】
調整方法として調整方法Ａ３ａが設定されている場合、画像処理部３２は、上記基礎データに対して、右足から左足への体重移動のタイミングを予め設定された所定時間、遅くした画像データを作成する。調整方法として調整方法Ａ３ｂが設定されている場合、上記基礎データに対して、ダウンスイング時における左足の踵側の圧力を予め設定された所定量、大きくし、つま先側の圧力を予め設定された所定量、小さくした画像データを作成する。
【００３８】
また、調整方法として調整方法Ａ１及び調整方法Ａ３ａが設定されている場合、画像処理部３２は、画像処理部１２により作成された画像データを基礎データとして、基礎データに対して、インパクト時における左足のつま先側の圧力を予め設定された所定量、大きくし、踵側の圧力を予め設定された所定量、小さくし、右足から左足への体重移動のタイミングを予め設定された所定時間、遅くした画像データを作成する。
【００３９】
なお、インパクト時やダウンスイング時等のスイング中の各タイミングについては、スイング時のシャフト部に発生する加速度から特定する。スイング時のシャフト部に発生する加速度から各タイミングを特定する方法としては、例えば、特許文献１及び特許文献２に開示されるような公知の方法を適用できる。
【００４０】
図７に示すように、指示表示部３３は、表示部５０の表示面の一範囲として設けられている。指示表示部３３は、圧力表示部１３と同様に、足裏にかかる部位毎の圧力について、その強弱を色の濃淡により表示するとともに、スイング中の経時的な変化を動画として表示する。
【００４１】
次に、上記の訓練装置を用いた訓練方法について説明する。
本実施形態の訓練方法は、スイング中の体重配分の調整に適した方法であり、特に、スイングの基礎がある程度固まっている中級又は上級の訓練対象者が体重配分に重点をおいて練習する場合に適用することが好ましい。
【００４２】
図２に示すように、先ず、訓練対象者Ａは、圧力センサ部１１を有する中敷き１４が挿入されたゴルフシューズを装着する。そして、慣性センサ２１が取り付けられたクラブＢを用いてスイングを行い、ボールＣを打球する。
【００４３】
訓練装置は、訓練対象者Ａが行ったスイングに基づいて、当該スイングに関する種々の情報を表示部５０に表示する。詳述すると、圧力検出手段１０は、スイング中の足裏にかかる部位毎の圧力を検出し、スイング中の足裏にかかる部位毎の圧力の経時的な変化を示す動画を表示部５０の圧力表示部１３に表示する。
【００４４】
打点検出手段２０は、スイング中におけるクラブＢのシャフト部分に発生する角速度及び加速度の情報に基づいて、クラブＢのフェース面における打点を算出し、その打点を打点表示部２４に表示する。指示手段３０は、打点検出手段２０により算出された打点に基づいて、スイング中の体重配分の調整方法を設定し、その調整方法を指示表示部３３に表示する。また、訓練装置は、撮影手段４０により撮影された映像をスイング表示部５１に表示する。
【００４５】
図７に示すように、スイング後の訓練対象者Ａは、表示部５０の圧力表示部１３に表示される、前回のスイングにおいて検出された足裏にかかる部位毎の圧力の動画を確認し、前回のスイング中の体重配分を把握する。そして、表示部５０の指示表示部３３に表示される、前回のスイングの打点に基づいて設定された体重配分の例示の動画を確認し、次回のスイングにおける体重配分の参考とする。このとき、訓練対象者Ａは、必要に応じて、表示部５０の打点表示部２４に表示される前回のスイング時の打点、及びスイング表示部５１に表示される前回のスイングの映像を確認する。
【００４６】
次に、本実施形態の効果について説明する。
（１）ゴルフのスイング訓練方法は、スイング中の足裏にかかる部位毎の圧力を検出して表示する圧力検出手段１０と、クラブＢのフェース面における打点を検出する打点検出手段２０と、打点検出手段２０により検出された打点に基づいて、スイング中の体重配分の調整方法を設定して訓練対象者Ａに指示する指示手段３０とを用い、指示手段３０により設定された調整方法に従って、スイング中の体重配分を調整する。
【００４７】
上記構成によれば、訓練対象者Ａは、前回のスイングにおいて検出された足裏にかかる部位毎の圧力に基づいて、前回のスイング中の体重配分を把握できる。そして、前回のスイング中の体重配分を把握した訓練対象者Ａに対して、クラブＢのフェース面における打点に基づく体重配分の調整方法が指示される。したがって、訓練対象者Ａは、スイング中の体重配分をどのように調整すればスイングを修正できるかを容易に理解できる。また、定量的な打点に基づいて、スイング中の体重配分を定量的に調整できるため、訓練対象者Ａは、調整後のスイングを具現化しやすい。
【００４８】
（２）圧力検出手段１０は、検出した圧力を画像として表示する圧力表示部１３を備え、指示手段３０は、調整方法に従った体重配分によるスイングを行った場合に足裏にかかる部位毎の圧力を画像として例示する指示表示部３３を備える。
【００４９】
上記構成によれば、前回のスイングにおける体重配分と、調整された体重配分との違いを視覚的に確認することができる。そのため、スイング中の体重配分をどのように調整すればスイングを修正できるかを更に容易に理解できる。
【００５０】
（３）打点検出手段２０は、検出した打点を画像として表示する打点表示部２４を備える。
上記構成によれば、訓練対象者Ａは、前回のスイング時の打点を視覚的に確認することができる。
【００５１】
（４）圧力表示部１３は、圧力センサ部１１により検出した足裏にかかる部位毎の圧力について、スイング中の経時的な変化を動画として表示する。指示表示部３３は、足裏にかかる部位毎の圧力について、スイング中の経時的な変化を動画として表示する。
【００５２】
上記構成によれば、前回のスイングにおける体重配分がどうであったかを容易に把握できる。また、スイング中の体重配分をどのように調整すればスイングを修正できるかを更に容易に理解できる。
【００５３】
（５）指示手段３０は、予め設定された打点と調整方法との関係情報に基づいて、打点検出手段２０により検出された打点から調整方法を設定する。
上記構成によれば、定量的な打点に基づいて、スイング中の体重配分をより適切に指示できる。
【００５４】
なお、本実施形態は、以下のように変更して実施することができる。本実施形態及び以下の変更例は、技術的に矛盾しない範囲で互いに組み合わせて実施することができる。
・圧力表示部１３及び指示表示部３３における、スイング時の足裏にかかる部位毎の圧力の表示方法を変更してもよい。例えば、数値やグラフとして表示してもよいし、インパクト時等の特定のタイミングにおける圧力を静止画として表示してもよい。また、圧力に応じた明度で点灯するＬＥＤ等を用いて機械的に圧力を示すものであってもよい。
【００５５】
・足裏における圧力センサ部１１の配置を変更してもよい。
・打点検出手段２０による打点の検出方法は、慣性センサ２１を用いた方法に限定されない。例えば、ハイスピードカメラ等を用いて打点を検出してもよい。
【００５６】
・指示手段３０によるスイング中の体重配分の調整方法を訓練対象者Ａに指示する方法は、指示表示部３３に画像等を表示する方法に限定されない。例えば、音声によって指示してもよいし、指示表示部３３の表示と音声とを組み合わせて指示してもよい。
【００５７】
・上記実施形態では、指示手段３０の調整方法設定部３１は、圧力センサ部１１からの検出信号及び打点解析部２２により算出された打点に基づいて、スイング中の体重配分の調整方法を設定していたが、打点解析部２２により算出された打点のみに基づいて調整方法を設定してもよい。
【００５８】
・指示手段３０に関して、打点と調整方法との関係情報は、ウッドやアイアン等のクラブの種類や番手毎にそれぞれ異なっていてもよいし、同じであってもよい。
・指示手段３０に関して、入力手段を設ける等して、訓練対象者Ａ等が打点と調整方法との関係情報を任意に設定できるようにしてもよい。
【００５９】
・打点表示部２４を省略してもよい。また、撮影手段４０及びスイング表示部５１を省略してもよい。
次に、上記実施形態及び変更例から把握できる技術的思想を以下に記載する。
【００６０】
（イ）前記指示手段は、予め設定された前記打点と前記調整方法との関係情報に基づいて、前記打点検出手段により検出された前記打点から前記調整方法を設定する前記スイングの訓練方法。
【００６１】
（ロ）前記圧力表示部は、検出した前記圧力のスイング中の経時的な変化を動画として表示するとともに、前記指示表示部は、前記調整方法に従った体重配分によるスイングを行った場合に足裏にかかる部位毎の圧力の経時的な変化を動画として表示する前記スイングの訓練方法。
【符号の説明】
【００６２】
Ａ…訓練対象者、Ｂ…クラブ、Ｃ…ボール、１０…圧力検出手段、１１…圧力センサ部、１１ａ…圧力センサ、１３…圧力表示部、２０…打点検出手段、２１…慣性センサ、２４…打点表示部、３０…指示手段、３３…指示表示部。
【図１】
2020130957.tif 000003
【図２】
2020130957.tif 000004
【図３】
2020130957.tif 000005
【図４】
2020130957.tif 000006
【図５】
2020130957.tif 000007
【図６】
2020130957.tif 000008
【図７】
2020130957.tif 000009